【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
印刷データの途中でなされた印刷設定の切り替えと、前記印刷データとの関係に矛盾があるか否かを判定する判定手段と、
前記判定手段により、印刷データの途中でなされた印刷設定の切り替えと、前記印刷データとの関係に矛盾があると判定されると、そのことをユーザに報知する報知手段とを有することを特徴とする情報処理装置。
【請求項２】
前記報知手段により、前記印刷データの途中でなされた印刷設定の切り替えと、前記印刷データとの関係に矛盾があることがユーザに報知された後に、前記印刷データを出力するための処理を続行するか否かのユーザからの指示を受け付ける受け付け手段を有することを特徴とする請求項１に記載の情報処理装置。
【請求項３】
前記印刷データを出力するための処理を行う出力手段を有し、
前記出力手段は、前記受け付け手段により、前記印刷データを出力するための処理を続行しない指示が受け付けられると、前記印刷データを出力するための処理を中止することを特徴とする請求項２に記載の情報処理装置。
【請求項４】
前記判定手段は、前記印刷設定が切り替わることにより、前記印刷データの出力結果が変化する場合に、前記印刷データの途中でなされた印刷設定の切り替えと、前記印刷データとの関係に矛盾がないと判定し、そうでない場合に、前記印刷データの途中でなされた印刷設定の切り替えと、前記印刷データとの関係に矛盾があると判定することを特徴とする請求項１〜３の何れか１項に記載の情報処理装置。
【請求項５】
前記判定手段は、印刷データのページ間における印刷設定の切り替えと、そのページ間における印刷データの変化との関係に基づいて、前記印刷データの途中でなされた印刷設定の切り替えと、前記印刷データとの関係に矛盾があるか否かを判定することを特徴とする請求項１〜４の何れか１項に記載の情報処理装置。
【請求項６】
連続する２ページにおける印刷設定に関する情報と、連続する２ページにおける印刷データに関する情報とが対応付けられて記憶媒体に記憶されたテーブルを有し、
前記判定手段は、前記記テーブルを用いて、前記印刷データの途中でなされた印刷設定の切り替えと、前記印刷データとの関係に矛盾があるか否かを判定することを特徴とする請求項５に記載の情報処理装置。
【請求項７】
前記印刷データの途中でなされた印刷設定の切り替えに関する情報と、その印刷設定の切り替え前後における印刷データに関する情報とが対応付けられて記憶媒体に記憶されたテーブルを有し、
前記判定手段は、前記テーブルを用いて、前記印刷データの途中でなされた印刷設定の切り替えと、前記印刷データとの関係に矛盾があるか否かを判定することを特徴とする請求項１〜５の何れか１項に記載の情報処理装置。
【請求項８】
前記印刷データは、複数ページからなる電子ドキュメント、又は複数ページからなるページ記述言語データを含むことを特徴とする請求項１〜７の何れか１項に記載の情報処理装置。
【請求項９】
前記印刷設定に関する情報を含むジョブチケットを外部装置から取得する取得手段と、
前記取得手段により取得されたジョブチケットに含まれる前記印刷設定に関する情報に基づいて、前記印刷データの途中でなされた印刷設定の切り替えを検出する検出手段とを有し、
前記判定手段は、前記検出手段により検出された印刷設定の切り替えと、前記印刷データとの関係に基づいて、前記印刷データの途中でなされた印刷設定の切り替えと、前記印刷データとの関係に矛盾があるか否かを判定することを特徴とする請求項１〜８の何れか１項に記載の情報処理装置。
【請求項１０】
前記判定手段により、前記印刷データの途中でなされた印刷設定の切り替えと、前記印刷データとの関係に矛盾があると判定されると、その判定された結果の履歴を記憶媒体に記憶する第２の記憶手段を有することを特徴とする請求項１〜９の何れか１項に記載の情報処理装置。
【請求項１１】
印刷データの途中でなされた印刷設定の切り替えと、前記印刷データとの関係に矛盾があるか否かを判定する判定ステップと、
前記判定ステップにより、印刷データの途中でなされた印刷設定の切り替えと、前記印刷データとの関係に矛盾があると判定されると、そのことをユーザに報知する報知ステップとを有することを特徴とする画像処理方法。
【請求項１２】
前記報知ステップにより、前記印刷データの途中でなされた印刷設定の切り替えと、前記印刷データとの関係に矛盾があることがユーザに報知された後に、前記印刷データを出力するための処理を続行するか否かのユーザからの指示を受け付ける受け付けステップを有することを特徴とする請求項１１に記載の画像処理方法。
【請求項１３】
前記印刷データを出力するための処理を行う出力ステップを有し、
前記出力ステップは、前記受け付けステップにより、前記印刷データを出力するための処理を続行しない指示が受け付けられると、前記印刷データを出力するための処理を中止することを特徴とする請求項１２に記載の画像処理方法。
【請求項１４】
前記判定ステップは、前記印刷設定が切り替わることにより、前記印刷データの出力結果が変化する場合に、前記印刷データの途中でなされた印刷設定の切り替えと、前記印刷データとの関係に矛盾がないと判定し、そうでない場合に、前記印刷データの途中でなされた印刷設定の切り替えと、前記印刷データとの関係に矛盾があると判定することを特徴とする請求項１１〜１３の何れか１項に記載の画像処理方法。
【請求項１５】
前記判定ステップは、印刷データのページ間における印刷設定の切り替えと、そのページ間における印刷データの変化との関係に基づいて、前記印刷データの途中でなされた印刷設定の切り替えと、前記印刷データとの関係に矛盾があるか否かを判定することを特徴とする請求項１１〜１４の何れか１項に記載の画像処理方法。
【請求項１６】
前記判定ステップは、連続する２ページにおける印刷設定に関する情報と、連続する２ページにおける印刷データに関する情報とが対応付けられて記憶媒体に記憶されたテーブルを用いて、前記印刷データの途中でなされた印刷設定の切り替えと、前記印刷データとの関係に矛盾があるか否かを判定することを特徴とする請求項１５に記載の画像処理方法。
【請求項１７】
前記判定ステップは、前記印刷データの途中でなされた印刷設定の切り替えに関する情報と、その印刷設定の切り替え前後における印刷データに関する情報とが対応付けられて記憶媒体に記憶されたテーブルを用いて、前記印刷データの途中でなされた印刷設定の切り替えと、前記印刷データとの関係に矛盾があるか否かを判定することを特徴とする請求項１１〜１５の何れか１項に記載の画像処理方法。
【請求項１８】
前記印刷データは、複数ページからなる電子ドキュメント、又は複数ページからなるページ記述言語データを含むことを特徴とする請求項１１〜１７の何れか１項に記載の画像処理方法。
【請求項１９】
前記印刷設定に関する情報を含むジョブチケットを外部装置から取得する取得ステップと、
前記取得ステップにより取得されたジョブチケットに含まれる前記印刷設定に関する情報に基づいて、前記印刷データの途中でなされた印刷設定の切り替えを検出する検出ステップとを有し、
前記判定ステップは、前記検出ステップにより検出された印刷設定の切り替えと、前記印刷データとの関係に基づいて、前記印刷データの途中でなされた印刷設定の切り替えと、前記印刷データとの関係に矛盾があるか否かを判定することを特徴とする請求項１１〜１８の何れか１項に記載の画像処理方法。
【請求項２０】
前記判定ステップにより、前記印刷データの途中でなされた印刷設定の切り替えと、前記印刷データとの関係に矛盾があると判定されると、その判定された結果の履歴を記憶媒体に記憶する第２の記憶ステップを有することを特徴とする請求項１１〜１９の何れか１項に記載の画像処理方法。
【請求項２１】
印刷データの途中でなされた印刷設定の切り替えと、前記印刷データとの関係に矛盾があるか否かを判定する判定ステップと、
前記判定ステップにより、印刷データの途中でなされた印刷設定の切り替えと、前記印刷データとの関係に矛盾があると判定されると、そのことをユーザに報知する報知ステップとをコンピュータに実行させることを特徴とするコンピュータプログラム。
【手続補正２】
【補正対象書類名】明細書
【補正対象項目名】００１０
【補正方法】変更
【補正の内容】
【００１０】
本発明のコンピュータプログラムは、印刷データの途中でなされた印刷設定の切り替えと、前記印刷データとの関係に矛盾があるか否かを判定する判定ステップと、前記判定ステップにより、印刷データの途中でなされた印刷設定の切り替えと、前記印刷データとの関係に矛盾があると判定されると、そのことをユーザに報知する報知ステップとをコンピュータに実行させることを特徴とする。